(57)【要約】  照明制御画像フレームシステム及び方法は、ユーザ入力信号（350）に応じて表示信号（352）を生成して送信信号（354）を生成するプロセッサ（300）と、表示信号に応じる画像フレームディスプレイ（304）と、ユーザに応じてユーザ入力信号（350）を生成するユーザ入力装置（312）と、送信信号（354）に応じる照明信号送信機（308）とを有する。
2008522201.tif 000002
【特許請求の範囲】
【請求項１】
ユーザ入力信号に応じ、表示信号を生成して送信信号を生成するプロセッサと；
前記表示信号に応じる画像フレームディスプレイと；
ユーザに応じて前記ユーザ入力信号を生成するユーザ入力装置と；
前記送信信号に応じる照明信号送信機と；
を有する照明制御画像フレーム。
【請求項２】
前記プロセッサは：
前記ユーザ入力信号に応じ、前記表示信号を生成してカラースキーム信号を生成する表示コントローラと；
前記カラースキーム信号に応じ、前記送信信号を生成する照明コントローラと；
を有する請求項１に記載の照明制御画像ディスプレイ。
【請求項３】
前記表示コントローラはサンプリング器を有し、
前記サンプリング器は、画像の少なくとも一部に応じて前記カラースキーム信号を生成する請求項２に記載の照明制御画像ディスプレイ。
【請求項４】
前記画像フレームディスプレイは、液晶ディスプレイと電子インクディスプレイと有機発光ダイオードディスプレイとポリマー発光ダイオードディスプレイとタッチスクリーンディスプレイと抵抗性タッチスクリーンディスプレイと容量性タッチスクリーンディスプレイと表面弾性波タッチスクリーンディスプレイとを有するグループから選択される請求項１に記載の照明制御画像ディスプレイ。
【請求項５】
前記画像フレームディスプレイは、前記表示信号に応じてカラーインデックスを表示し、
前記カラーインデックスは、カラーリストとカラーホイールとカラーピッカーとサンプリングされた画像表示と画像サンプリング表示とを有するグループから選択される請求項１に記載の照明制御画像ディスプレイ。
【請求項６】
前記ユーザ入力装置は、カーソル制御とオプション選択制御とモード選択制御とを有するグループから選択される請求項１に記載の照明制御画像ディスプレイ。
【請求項７】
前記ユーザ入力装置は、前記画像フレームディスプレイである請求項１に記載の照明制御画像ディスプレイ。
【請求項８】
前記プロセッサに動作可能に接続されたメモリを更に有する請求項１に記載の照明制御画像ディスプレイ。
【請求項９】
前記プロセッサは、カラースキームを決定するサンプリング器を更に有する請求項１に記載の照明制御画像ディスプレイ。
【請求項１０】
前記照明制御信号は、光信号と無線波信号と電力線信号と有線信号とを有するグループから選択される請求項１に記載の照明制御画像ディスプレイ。
【請求項１１】
デジタルカメラインタフェースとデジタルメモリカードインタフェースとモデムとプリンタインタフェースとを有するグループから選択されたインタフェースを更に有する請求項１に記載の照明制御画像ディスプレイ。
【請求項１２】
フレーム制御信号に応じ、受信信号を生成するフレーム受信機を更に有し、
前記受信信号は、前記プロセッサに提供される請求項１に記載の照明制御画像ディスプレイ。
【請求項１３】
画像フレームディスプレイを提供し；
前記画像フレームディスプレイにカラーインデックスを表示し；
前記カラーインデックスからカラースキームを選択し；
前記カラースキームに応じて照明制御信号を生成する；
ことを有する照明ユニット制御方法。
【請求項１４】
画像フレームディスプレイを提供することは、液晶ディスプレイと電子インクディスプレイと有機発光ダイオードディスプレイとポリマー発光ダイオードディスプレイとタッチスクリーンディスプレイと抵抗性タッチスクリーンディスプレイと容量性タッチスクリーンディスプレイと表面弾性波タッチスクリーンディスプレイとを有するグループから選択された画像フレームディスプレイを提供することを有する請求項１３に記載の方法。
【請求項１５】
前記画像フレームディスプレイにカラーインデックスを表示することは、カラーリストとカラーホイールとカラーピッカーとサンプリングされた画像表示と画像サンプリング表示とを有するグループから選択されたカラーインデックスを表示することを有する請求項１３に記載の方法。
【請求項１６】
照明制御画像フレームモードを選択し、
前記照明制御画像フレームモードが画像表示モードであるときに、前記画像フレームディスプレイに画像を表示することを更に有する請求項１３に記載の方法。
【請求項１７】
前記照明制御画像フレームモードが照明制御モードであるときに、前記画像フレームディスプレイに照明制御オプションを表示することを更に有する請求項１６に記載の方法。
【請求項１８】
前記照明制御画像フレームモードが表示制御モードであるときに、前記画像フレームディスプレイに表示制御オプションを表示することを更に有する請求項１６に記載の方法。
【請求項１９】
前記カラーインデックスは画像サンプリング表示であり、
前記カラーインデックスからカラースキームを選択することは、前記画像サンプリング表示の少なくとも一部を選択し、前記画像の前記一部から前記カラースキームを生成することを有する請求項１３に記載の方法。
【請求項２０】
画像をメモリに格納することを更に有する請求項１３に記載の方法。
【請求項２１】
前記画像フレームディスプレイに表示するために前記画像のうちいくつかをフラグ付けすることを更に有する請求項２０に記載の方法。
【請求項２２】
スライドショー形式で前記フラグ付けされた画像を表示することを更に有する請求項２１に記載の方法。
【請求項２３】
画像フレームディスプレイと；
前記画像フレームディスプレイにカラーインデックスを表示する手段と；
前記カラーインデックスからカラースキームを選択する手段と；
前記カラースキームに応じて照明制御信号を生成する手段と；
を有する照明ユニット制御システム。
【請求項２４】
照明制御画像フレームモードを選択する手段と、
前記照明制御画像フレームモードが画像表示モードであるときに、前記画像フレームディスプレイに画像を表示する手段と
を更に有する請求項２３に記載のシステム。
【請求項２５】
前記照明制御画像フレームモードが照明制御モードであるときに、前記画像フレームディスプレイに照明制御オプションを表示する手段を更に有する請求項２３に記載のシステム。
【請求項２６】
前記照明制御画像フレームモードが表示制御モードであるときに、前記画像フレームディスプレイに表示制御オプションを表示する手段を更に有する請求項２３に記載のシステム。
【請求項２７】
前記カラーインデックスは画像サンプリング表示であり、
前記カラーインデックスからカラースキームを選択する手段は、前記画像サンプリング表示の少なくとも一部を選択する手段と、前記画像の前記一部から前記カラースキームを生成する手段とを有する請求項２３に記載のシステム。
【請求項２８】
画像をメモリに格納する手段を更に有する請求項２３に記載のシステム。
【請求項２９】
前記画像フレームディスプレイに表示するために前記画像のうちいくつかをフラグ付けする手段を更に有する請求項２８に記載のシステム。
【請求項３０】
スライドショー形式で前記フラグ付けされた画像を表示する手段を更に有する請求項２９に記載のシステム。
【請求項３１】
画像を提供し；
前記画像の特性をサンプリングし；
前記特性に応じて照明制御信号を生成する；
ことを有する照明ユニット制御方法。
【請求項３２】
前記特性は、カラーと輝度と強度と色調と彩度と光度とを有するグループから選択される請求項３１に記載の方法。
【発明の詳細な説明】
【技術分野】
【０００１】
本発明は、概して照明ユニットコントローラに関し、特に照明制御画像フレームで照明ユニットを制御するシステム及び方法に関する。
【背景技術】
【０００２】
ムード照明をサポートするもののような高度な照明ユニットは、ますます普及していきている。多くの照明ユニットは異なる種類の照明を有し、これにより、照明ユニット内の個々の照明のそれぞれが全体の照明効果又は環境を作るように設定され得る。個々の照明は、所望の照明効果のために特定の色及び強度の設定に設定され得る。個々の照明の個々の設定を特定するために、リモコン又はパーソナルコンピュータがしばしば使用される。リモコンはよく置き忘れられ、パーソナルコンピュータは使用するのに大きくて不都合であり、ユーザを不都合にする。
【発明の開示】
【発明が解決しようとする課題】
【０００３】
既存の照明ユニットは、複数の所定の照明ユニットの設定を有し、複数の照明効果を作り得るが、カスタマイズされた様子を作るために利用可能なカスタマイズオプションはしばしば限られている。個々の照明毎の所望の設定は提供されなければならない。カスタマイズされた照明ユニットの設定を作ることは、しばしば高価な専門的な支援を必要とする。
【０００４】
前記の欠点を克服する照明制御画像フレームを作ることが望ましい。
【課題を解決するための手段】
【０００５】
本発明の１つの態様は、照明制御画像フレームを提供し、ユーザ入力信号に応じ、表示信号を生成して送信信号を生成するプロセッサと、表示信号に応じる画像フレームディスプレイと、ユーザに応じてユーザ入力信号を生成するユーザ入力装置と、送信信号に応じる照明信号送信機とを有する。
【０００６】
本発明の他の態様は、照明ユニット制御方法を提供し、画像フレームディスプレイを提供し、画像フレームディスプレイにカラーインデックスを表示し、カラーインデックスからカラースキームを選択し、カラースキームに応じて照明制御信号を生成することを有する。
【０００７】
本発明の他の態様は、照明ユニットを制御するシステムを提供し、画像フレームディスプレイと、画像フレームディスプレイにカラーインデックスを表示する手段と、カラーインデックスからカラースキームを選択する手段と、カラースキームに応じて照明制御信号を生成する手段とを有する。
【０００８】
本発明の他の態様は、照明ユニットを制御する方法を提供し、画像を提供し、画像の特性をサンプリングし、特性に応じて照明制御信号を生成することを有する。
【発明を実施するための最良の形態】
【０００９】
本発明の前記及び他の特徴及び利点は、添付図面と共に読まれるこの好ましい実施例の以下の詳細な説明から更に明らかになる。詳細な説明及び図面は、特許請求の範囲及びその均等により定められる本発明の範囲を限定するのではなく、本発明の単なる例示である。
【００１０】
本発明の様々な実施例は、添付図面により示されている。
【００１１】
図１は、本発明に従って作られた照明制御画像フレームを使用した照明システムのブロック図である。照明制御画像フレーム100は、ユーザが照明101を制御し、照明制御画像フレーム100にデジタル画像を表示することを可能にする。照明制御画像フレーム100は、照明制御信号105で１つ以上の照明ユニット102と通信し、ユーザ選択のカラースキームに応じて照明ユニット102内の照明101の色及び／又は強度を制御する。図示の例では、照明ユニット受信機103は、照明制御信号105を受信し、照明101を制御する。一実施例では、照明制御画像フレーム100は、フレーム制御信号366に応じる。
【００１２】
照明ユニット102は、照明制御信号105と色設定及び／又は強度設定を有する照明101とに応じる照明ユニット受信機103を有する。照明ユニット102は、少なくとも１つの照明101を有するが、必要に応じた数を有してもよい。一実施例では、各照明101は、照明制御画像フレーム100により制御可能である調整可能な色及び強度を有する。代替実施例では、照明ユニット102は複数の照明101を有し、この複数の照明101は同一のものでもよく、異なる電力、強度、色、形状等を有する異なる種類のものでもよい。単一の照明制御画像フレーム100から制御される複数の照明ユニット102は部屋に備えられ、様々な照明設計を可能にし得る。一実施例では、照明ユニット102は、フレーム制御信号366を生成する任意選択の照明ユニット送信機106を有する。
【００１３】
照明制御信号105は、照明ユニット102の照明101の強度及び／又は色を制御する。一実施例では、照明制御信号105は、照明ユニット102の選択照明101に電力を切替え、照明101をオン及びオフにしてもよい。照明制御信号105は、１つより多くの照明ユニットが存在するときに照明制御画像フレーム100が特定の照明ユニット102に向けられ得るように指向性でもよく、複数の照明ユニット102に一度に到達するように広角でもよい。
【００１４】
照明制御信号105は、照明制御画像フレーム100と照明ユニット102との間で情報を伝達するのに適した何らかの信号である。一実施例では、照明制御信号105は、赤外線から紫外線までの周波数帯域の光信号である。代替実施例では、照明制御信号105は無線信号である。他の代替実施例では、照明制御信号105は電力線信号であり、照明制御画像フレーム100は、照明ユニット102に接続された電力線で照明ユニット102と通信する。他の代替実施例では、照明制御画像フレーム100は照明ユニット102に配線されており、照明制御信号105は有線信号である。照明制御信号105は、DALI（digital  addressable  lighting  interface）又はZigBeeプロトコルのような標準的な照明制御プロトコルに準拠してもよい。
【００１５】
照明制御画像フレーム100は、任意選択のフレーム制御信号366に応じてもよい。フレーム制御信号366は、照明ユニット送信機106又はビル若しくは面照明制御信号108により提供されるコマンド又は情報信号でもよい。フレーム制御信号366は、DALI（digital  addressable  lighting  interface）又はZigBeeプロトコルのような標準的な照明制御プロトコルに準拠してもよい。一実施例では、フレーム制御信号366は、赤外線から紫外線までの周波数帯域の光信号である。代替実施例では、フレーム制御信号366は無線信号である。他の代替実施例では、フレーム制御信号366は電力線信号である。他の代替実施例では、フレーム制御信号366は信号源に有線接続され、フレーム制御信号366は有線信号である。
【００１６】
図２Ａ−２Ｃは、本発明に従って作られた照明制御画像フレームの照明制御画像フレームモードの概略図である。一例では、照明制御画像フレーム100は、３つの照明制御画像フレームモード（画像表示モード、表示制御モード及び照明制御モード）に設定され得る。例示的な照明制御画像フレーム100は、液晶ディスプレイ（LCD：liquid  crystal  display）、電子インクディスプレイ、有機発光ダイオードディスプレイ（OLED：organic  light-emitting  diode  display）、ポリマー発光ダイオードディスプレイ（PolyLED：polymer  light-emitting  diode  display）、タッチスクリーンディスプレイ等のような画像フレームディスプレイ304を囲むサポートフレーム110を有する。画像フレームディスプレイ304は視覚情報112を表示する。一実施例では、照明制御画像フレーム100は、照明制御画像フレームモード間を切り替えるモード選択制御310、画像フレームディスプレイ304でカーソル114を操作するカーソル制御326、及び／又は画像フレームディスプレイ304に表示された視覚情報から選択を行うオプション選択制御328のようなユーザ入力装置を有する。
【００１７】
図２Ａは、画像表示モードでの照明制御画像フレーム100を示している。デジタル画像が、画像フレームディスプレイ304に表示される視覚情報112である。デジタル画像は、照明制御画像フレーム100に格納されたユーザ又は商用に提供された画像からユーザにより選択される。
【００１８】
図２Ｂは、表示制御モードでの照明制御画像フレーム100を示している。選択のデジタル画像、様々なコマンド及び特定のモードのオプションが、画像フレームディスプレイ304に表示される視覚情報112である。ユーザは、表示制御モードでの照明制御画像フレーム100の表示及び動作を管理する。表示制御モードで利用可能な動作の例は、画像フレームディスプレイ304の表示パラメータを定めることと、外部ソースからメモリ316にデジタル画像をダウンロードすることと、画像フレームディスプレイ304に表示するデジタル画像を選択することと、スライドショー形式で画像フレームディスプレイ304に表示する複数のデジタル画像を選択することとを有する。画像フレームディスプレイ304の表示パラメータは、表示オプションメニューで提供され得る。表示パラメータの例は、表示コントラストと、表示輝度と、表示鮮明度と、表示色相と、表示カラーとを有する。選択された表示パラメータの範囲もまた画像フレームディスプレイ304に表示されてもよい。
【００１９】
図２Ｃは、表示制御モードでの照明制御画像フレーム100を示している。カラーインデックスが、画像フレームディスプレイ304に表示される視覚情報112である。ユーザは、カラーインデックスからカラースキームを選択し、照明ユニットの動作を制御する。
【００２０】
図３は、本発明に従って作られた照明制御画像フレームのブロック図である。照明制御画像フレーム100は、ユーザ入力装置312と、プロセッサ300と、画像フレームディスプレイ304と、メモリ316と、照明信号送信機308とを有する。プロセッサ300は、表示コントローラ302と、照明コントローラ306とを有する。表示コントローラ302は、任意選択でサンプリング器314を有し得る。ユーザ入力装置312は、カーソル制御326と、任意選択の選択制御328と、モード選択制御310とを有する。様々な実施例では、照明制御画像フレーム100は、デジタルカメラインタフェース318、デジタルメモリカードインタフェース320、モデム322、プリンタインタフェース324、及び／又はフレーム受信機330を任意選択で有する。ユーザ入力装置312は、ユーザからプロセッサ300に入力を提供し、このプロセッサ300は、画像フレームディスプレイ304の視覚情報の表示と、照明信号送信機308を通じた照明ユニットとの通信とを制御する。
【００２１】
ユーザ入力装置312は、プロセッサ300の表示コントローラ302にユーザ入力信号350を提供し、ユーザが照明制御画像フレーム100及び照明制御画像フレーム100を通じた照明ユニットを制御することを可能にする。図示の実施例では、ユーザ入力装置312は、カーソル制御326と、オプション選択制御328と、モード選択制御310とを有する。ユーザ入力装置312は、ユーザ選択のオプションを表示する物理装置及び／又は画像フレームディスプレイ304自体でもよい。
【００２２】
カーソル制御326により、ユーザは画像フレームディスプレイ304の周囲でカーソルを移動することが可能になる。カーソル制御326は、１つ以上のノブ、タッチパッド、ローラーボール等のようなカーソル又はポインタを操作する如何なる機械式、光学式又は光学機械式装置でもよい。
【００２３】
オプション選択制御328により、ユーザは画像フレームディスプレイ304に表示された視覚情報から選択を行うことが可能になる。オプション選択制御328は、プッシュボタン、タッチパッド、容量性スイッチ、光スイッチ等のようなユーザ接点を示す如何なる機械式、光学式又は光学機械式装置でもよい。
【００２４】
モード選択制御310により、ユーザは照明制御画像フレームモード間で照明制御画像フレームを切り替えることが可能になる。モード選択制御310は、ノブ、タッチパッド、１つ以上の容量性スイッチ、１つ以上の光スイッチ等のようなユーザ選択を示す如何なる機械式、光学式又は光学機械式装置でもよい。一実施例では、モード選択制御310は、モード選択ノブの回転位置に基づいてモードが選択されるモード選択ノブである。
【００２５】
代替実施例では、カーソル制御326は、モード選択制御310として動作する。カーソル制御326は、画像フレームディスプレイ304に表示されたモード選択メニューで所望の照明制御画像フレームモードにカーソルを位置合わせするために使用される。画像フレームディスプレイ304でのカーソルの位置は、ユーザによりモード選択メニューから所望の照明制御画像フレームモードを選択し、所望の照明制御画像フレームモードでカーソルを維持するために使用されてもよく、ユーザがオプション選択制御328でモード選択メニューから所望の照明制御画像フレームモードで“クリック”してもよい。他の代替実施例では、画像フレームディスプレイ304はタッチスクリーンであり、モード選択制御310は画像フレームディスプレイ304である。ユーザは、画像フレームディスプレイ304に表示されたモード選択メニューで所望の照明制御画像フレームモードに触れ、所望の照明制御画像フレームモードを選択する。
【００２６】
カーソル制御326、オプション選択制御326及びモード選択制御310は多機能タッチパッドのような単一の制御装置に結合されてもよいことが、当業者にわかる。カーソル制御326、オプション選択制御328及びモード選択制御310のうち１つ以上は、特定のアプリケーションの必要に応じて省略されてもよい。一実施例では、画像フレームディスプレイ304は、抵抗性タッチスクリーン、容量性タッチスクリーン、表面弾性波タッチスクリーン等のようなタッチスクリーンディスプレイであり、ユーザ入力装置312は画像フレームディスプレイ304である。ユーザは、画像フレームディスプレイ304を触れることにより入力を提供し、オプションから選択する、又は画像フレームディスプレイ304に表示されたカーソルを移動する。
【００２７】
画像フレームディスプレイ304は、プロセッサ300の表示コントローラ302から表示信号352を受信し、ユーザに視覚情報を表示する。画像フレームディスプレイ304は、液晶ディスプレイ（LCD）、電子インクディスプレイ、有機発光ダイオードディスプレイ（OLED）、ポリマー発光ダイオードディスプレイ（PolyLED）、タッチスクリーンディスプレイ等のような如何なる表示装置でもよい。表示信号352は典型的には平面ディスプレイであるが、必要に応じて他の外形を有してもよい。画像フレームディスプレイ304は、照明制御画像フレーム100が画像表示モードであるときにデジタル画像を表示し、照明制御画像フレーム100が表示制御モード又は照明制御モードのときにグラフィカルユーザインタフェース（GUI）を表示する。カーソルもまた、画像フレームディスプレイ304に表示され、GUIで所望の選択を示してもよい。画像フレームディスプレイ304はサポートフレーム（図示せず）により囲まれてもよい。サポートフレームはまた、照明制御画像フレーム100の構成要素を囲み、装飾的な要素を提供してもよい。一実施例では、画像フレームディスプレイ304は、抵抗性タッチスクリーン、容量性タッチスクリーン、表面弾性波タッチスクリーン等でもよく、これにより、画像フレームディスプレイ304はユーザ入力装置312を組み込む。
【００２８】
照明信号送信機308は、照明コントローラ306から送信信号354を受信し、照明ユニット102に照明制御信号105を提供する。照明信号送信機308は、送信信号354を照明制御信号105に変換するのに適した如何なる送信機でもよい。典型的にはこの照明制御信号105は、光信号又は無線信号のような無線信号である。
【００２９】
プロセッサ300は、照明制御画像フレーム100の機能を調整し、表示コントローラ302と照明コントローラ306とを有する。照明コントローラ306は、表示コントローラ302に表示制御信号358を提供し、表示コントローラ302は、照明コントローラ306にカラースキーム信号360を提供する。プロセッサ300は、ユーザ入力装置312からユーザ入力信号350を受信し、画像フレームディスプレイ304に表示信号352を提供し、照明信号送信機308に送信信号354を提供する。プロセッサ300はソフトウェア制御で表示コントローラ302、照明コントローラ306及び他の機能の機能を実行する汎用又は専用プロセッサでもよい。メモリ信号356でプロセッサ300の表示コントローラ302と通信するメモリ316は、プロセッサ300のソフトウェア命令と、画像フレームディスプレイ304に表示されるデジタル画像を有するデータとを格納する。メモリ316は、RAM、ROM、光記憶装置、磁気記憶装置、又はこれらの組み合わせでもよい。例示的なプロセッサ300の様々な機能を実行するために１つより多くのプロセッサが使用され得ることを、当業者はわかる。例えば、表示コントローラ302は１つのプロセッサで動作してもよく、照明コントローラ306は異なるプロセッサで動作してもよい。
【００３０】
表示コントローラ302は、画像フレームディスプレイ304の視覚情報の表示を調整する。画像表示モードでは、表示コントローラ302は、画像フレームディスプレイ304でのデジタル画像の表示を調整する。表示制御モードでは、表示コントローラ302は、画像フレームディスプレイ304の表示パラメータを定めること、外部ソースからメモリ316にデジタル画像をダウンロードすること、及び画像フレームディスプレイ304に表示するデジタル画像を選択することのように、制御オプションの表示を調整する。照明制御モードでは、表示コントローラ302は、画像フレームディスプレイ304のカラーインデックスの表示を調整し、カラーインデックスから選択されたカラースキームに応じてカラースキーム信号360を生成する。
【００３１】
一実施例では、プロセッサ300の表示コントローラ302は、任意選択のサンプリング器314を有する。サンプリング器314は、デジタル画像又は選択部分の特性をサンプリングすることにより、デジタル画像又はデジタル画像の選択部分の特性を評価し、評価されたカラースキームを決定する。特性の例は、カラー、輝度、強度、色調、彩度、光度等を有する。デジタルメモリがメモリ316から検索されてもよい。表示コントローラ302は、サンプリング器314により決定されたカラースキームに基づいて、カラースキーム信号を生成する。
【００３２】
一実施例では、サンプリング器314は、特定されたグリッド内にある画像の選択部分内で画素の特性を分析する。画像フレームディスプレイ304は、複数のグリッドに分割される。画像の一部が選択されたときに、表示コントローラ302は、画像の選択部分に関連するグリッドを特定する。画像の選択部分が複数のグリッドに重なる場合、画像の選択部分の最も大きい選択を含むグリッドが特定される。
【００３３】
照明コントローラ306は、カラースキーム信号360を受信し、これに応じて送信信号354を生成する。照明信号送信機は送信信号354を受信し、照明制御信号105を生成する。照明制御信号105は、照明ユニット102の照明設定を調整し、選択されたカラースキームを反映する全体の照明効果を作る。
【００３４】
一実施例では、プロセッサ300の照明コントローラ306は、フレーム制御信号366を受信する任意選択のフレーム受信機330から受信信号364を受信する。フレーム制御信号366は、照明ユニット又はビル若しくは面照明制御システムにより提供されるコマンド又は情報信号でもよい。フレーム制御信号366は、DALI（digital  addressable  lighting  interface）又はZigBeeプロトコルのような標準的な照明制御プロトコルに準拠してもよい。一実施例では、フレーム制御信号366は、赤外線から紫外線までの周波数帯域の光信号である。代替実施例では、フレーム制御信号366は無線信号である。他の代替実施例では、フレーム制御信号366は電力線信号である。他の代替実施例では、フレーム制御信号366は信号源に配線されており、フレーム制御信号366は有線信号である。
【００３５】
プロセッサ300は、１つ以上の入出力インタフェースに入出力信号362により通信可能に結合されてもよい。一実施例では、プロセッサ300は、デジタルカメラからメモリ316にデジタル画像をダウンロードするために、デジタルカメラインタフェース318に通信可能に結合される。他の実施例では、プロセッサ300は、デジタルメモリカードに格納されたデジタル画像をメモリ316にダウンロードするために、デジタルメモリカードインタフェース320に通信可能に結合される。代替実施例では、プロセッサ300は、インターネットサーバからメモリ316にユーザ選択デジタル画像をダウンロードするために、インターネットアクセスを可能にするモデム322に通信可能に結合される。他の実施例では、プロセッサ300は、プリンタへの接続のために、プリンタインタフェース324に通信可能に結合され、ユーザがメモリ316に格納されたデジタル画像を印刷することを可能にする。照明制御画像フレーム100は、記載されたインタフェースのいずれか１つ又は何れかの組み合わせを有してもよい。
【００３６】
図４は、本発明に従って作られた照明制御画像フレームの照明制御画像フレームモードを選択する方法のフローチャートである。ユーザは、照明制御画像フレームモード402を選択する。選択された照明制御画像フレームモードが画像表示モード404であると決定された場合、画像が画像フレームディスプレイ406に表示される。選択された照明制御画像フレームモードが表示制御モード408であると決定された場合、照明制御画像フレームが表示制御モードに設定され、ユーザが表示制御オプション410を実行し得る。選択された照明制御画像フレームモードが照明制御モード414であると決定された場合、照明制御画像フレームが照明制御モードに設定され、ユーザが照明制御オプション416を実行し得る。ユーザが所望のオプションを実行し終えると、照明制御画像フレームは画像表示モード412に設定される。
【００３７】
ユーザは、３つのモードのうち１つ（画像表示モード、表示制御モード又は照明制御モード）に照明制御画像フレームを設定することができる。画像表示モードでは、デジタル画像が画像フレームディスプレイに表示される。表示制御モードでは、ユーザは、画像フレームディスプレイに表示されるデジタル画像に関連する１つ以上のオプションを変更することができる。照明制御モードでは、ユーザは、照明ユニットを制御するオプションを選択することができる。一実施例では、ユーザは、ユーザ入力装置を使用して、照明制御画像フレームモードを選択する。ユーザ入力装置は、選択された照明制御画像フレームモードを特定するユーザ入力信号を生成する。照明コントローラは、ユーザ入力信号を受信し、表示コントローラとの動作を調整し、画像フレームディスプレイに所望の視覚情報を表示する。
【００３８】
選択された照明制御画像フレームモードが画像表示モード404であると決定された場合、画像が画像フレームディスプレイ406に表示される。典型的には、画像は製造者及び／又はユーザによりメモリに前に格納されているメモリから取り出される。一実施例では、複数の画像がメモリに格納されており、ユーザは表示フラグで１つ以上のデジタル画像に印を付けるオプションを有する。フラグ付けされた画像は、スライドショー形式等で画像フレームディスプレイに表示される。画像毎の表示時間は、ユーザ定義の時間のように所定の時間でもよい。代替実施例では、画像毎の表示時間は、ランダムな時間でもよい。表示順序は、メモリに格納された通りの順次的でもよく、ユーザ定義の順序でもよく、ランダムな順序等でもよい。デジタル画像がフラグ付けされていない場合、画像フレームディスプレイは、初期設定のデジタル画像を表示してもよく、初期設定のメモリアドレスからデジタル画像を表示してもよい。
【００３９】
選択された照明制御画像フレームモードが表示制御モード408であると決定された場合、照明制御画像フレームは表示制御モード408に設定され、ユーザは表示制御オプション410を実行し得る。表示制御オプションは、画像フレーム表示パラメータを定めること、デジタル画像をダウンロードすること、及び／又は表示用に１つ若しくは複数のデジタル画像を選択することを有する。典型的には、表示制御モードを入力することで表示オプションメニューが表示され、ユーザが利用可能な表示オプションから選択することを可能にする。
【００４０】
ユーザが表示オプションメニューから画像フレーム表示パラメータを定めるオプションを選択すると、利用可能な表示オプションのリストが表示パラメータメニューに提供される。利用可能な表示パラメータオプションは、表示コントラスト、表示輝度、表示鮮明度、表示色相、表示カラー等を有し得る。選択された表示パラメータの範囲が表示され、ユーザが選択された表示パラメータ毎に特定の設定を選択する。
【００４１】
ユーザがデジタル画像を外部ソースからメモリにダウンロードするオプションを選択すると、ユーザは、ダウンロードを実行するために必要なステップを通じて導かれる。様々な実施例では、ユーザは、デジタルカメラ、デジタルメモリカード、インターネットサーバ、又はデジタル画像の他のソースからデジタル画像をダウンロードしてもよい。代替実施例では、デジタル画像は製造者により供給され、ダウンロードのオプションが必要なくなる。
【００４２】
ユーザが表示用のデジタル画像を選択するオプションを選択すると、デジタル画像インデックスが表示される。デジタル画像インデックスは、メモリに格納された表示用に利用可能なデジタル画像を有する。一実施例では、デジタル画像インデックスは、全ての利用可能なデジタル画像のアルファベット数字リストである。他の実施例では、デジタル画像インデックスは、デジタル画像のサムネイル画像の表示である。ユーザは、表示用にデジタル画像インデックスから１つ又は複数のデジタル画像にフラグを付ける。
【００４３】
ユーザが表示制御モードを終了すると、照明制御画像フレームが画像表示モード412に設定され、フラグ付けされたデジタル画像が単一又はスライドショー形式で表示される。
【００４４】
選択された照明制御画像フレームモードが照明制御モード414であると決定された場合、照明制御画像フレームが照明制御モードに設定され、ユーザは照明制御オプション416を実行し得る。照明制御オプションは、カラーを調整すること、及び／又は照明ユニットの強度設定を調整することを有する。照明ユニットを制御する方法について、以下に図５に関して説明する。ユーザが表示制御モードを終了すると、照明制御画像フレームが画像表示モード412に設定され、フラグ付けされたデジタル画像が単一又はスライドショー形式で表示される。
【００４５】
画像表示モード、表示制御モード又は照明制御モードとしての画像フレームモードの決定は、如何なる所望の順序で行われてもよく、より多い又はより少ない画像フレームモードが必要に応じて含まれてもよいことが、当業者にわかる。
【００４６】
図５は、本発明に従って作られた照明制御画像フレームを使用して照明ユニットを制御する方法のフローチャートである。画像フレームディスプレイが提供され502、カラーインデックスが画像フレームディスプレイに表示される504。ユーザは、カラーインデックス506からカラースキームを選択し、照明制御信号がカラースキームに応じて生成される508。
【００４７】
502において、画像フレームディスプレイが提供される。画像フレームディスプレイは、視覚情報を表示することができる何らかのディスプレイであり、照明制御画像フレームの一部である。
【００４８】
504において、カラーインデックスが画像フレームディスプレイに表示される。一実施例では、カラーインデックスが照明制御モードの一部として表示される。カラーインデックスは、ユーザによる選択に利用可能なカラースキームを提供する。カラーインデックスは、カラーリスト、カラーホイール（color  wheel）、カラーピッカー（color  picker）、サンプリングされた画像表示、画像サンプリング表示等でもよい。一実施例では、画像又は表示される画像の一部をサンプリングすることにより、カラースキームが生成される。カラーインデックスについて、以下に図６に関して更に説明する。一実施例では、カラーインデックスも強度インデックスを有し、照明ユニットの強度の選択を可能にする。例えば、カラーインデックスが画像フレームディスプレイに異なる輝度で提示されてもよく、画像フレームディスプレイの制御スライダが表示されるカラーインデックスの輝度を調整してもよい。
【００４９】
506において、ユーザはカラーインデックスからカラースキームを選択する。
【００５０】
508において、選択されたカラースキームに応じて照明制御信号が生成される。照明制御信号は照明ユニットに提供され、選択されたカラースキームに従って作られる照明のカラー、輝度及び／又は強度を制御する。
【００５１】
一実施例では、照明制御信号は画像から生成され得る。画像が提供され、画像の少なくとも１つの特性がサンプリングされる。特性の例は、カラー、輝度、強度、色調、彩度、光度等を有する。照明制御信号は特性に応じて生成される。
【００５２】
図６Ａ−６Ｅは、本発明に従って作られた照明制御画像フレームのカラーインデックスの概略図である。カラーインデックスは、ユーザがカラースキームに関連するトークン（token）を選択するグラフィック表示を提供する。カラーインデックスは、カラーリスト、カラーホイール、カラーピッカー、サンプリングされた画像表示、画像サンプリング表示等でもよい。
【００５３】
図６Ａでは、画像フレームディスプレイ304に表示されるカラーインデックス600はカラーリストである。図示の例では、カラーインデックス600は、アルファベット数字トークン602とグラフィックトークン604とを有する。アルファベット数字トークン602は、カラー名（赤、青、緑等）のリストでもよく、特定のカラースキームにそれぞれ関連する言葉（夏、春、インディアンサマー、海岸等）のリストでもよい。グラフィックトークン604は、個々の色を表示してもよく、特定のカラースキームにそれぞれ関連するサムネイルのような画像でもよい。カラーインデックス600は、アルファベット数字トークン602とグラフィックトークン604とのうち一方又は双方を有してもよいことが、当業者にわかる。
【００５４】
図６Ｂでは、画像フレームディスプレイ304に表示されるカラーインデックス600は、カラーホイールである。図示の例では、カラーインデックス600は、個々の色を表示するホイールトークン606を有する。各ホイールトークン606は、特定のカラースキームに関連する。カラーホイールを通じた色の変化がユーザに連続的に現れるように、各ホイールトークン602のアーク（arc）は小さくてもよい。
【００５５】
図６Ｃでは、画像フレームディスプレイ304に表示されるカラーインデックス600は、カラーピッカーである。図示の例では、カラーインデックス600は、個々の色を表示するセグメントトークン608を有する。各セグメントトークン608は、特定のカラースキームに関連する。カラーピッカーを通じた色の変化がユーザに連続的に現れるように、各セグメントトークン608のサイズは小さくてもよい。
【００５６】
図６Ｄでは、画像フレームディスプレイ304に表示されるカラーインデックス600は、サンプリングされた画像表示である。図示の例では、カラーインデックス600は、サンプリングされた画像を表示するサンプリング画像トークン610を有する。カラー、輝度、強度、色調、彩度、光度等のような各画像の特性がサンプリングされ、カラースキームが画像毎に計算される。ユーザがサンプリング画像トークン610を選択すると、照明ユニットは、関連するカラースキームに合致するように照明を調整する。例えば、選択されたサンプリング画像トークン610が青色の空と青色の海と黄色の砂とを示す明るい海辺の画像である場合、照明ユニットは、画像のサンプリング結果に従って青色及び黄色で光るように設定される。他の例では、選択されたサンプリング画像カラースキーム610がオレンジ色の葉と茶色の草とを示す落ち着いた秋の場面である場合、照明ユニットは、画像のサンプリング結果に従ってオレンジ色及び茶色で低く設定される。
【００５７】
図６Ｅでは、画像フレームディスプレイ304に表示されるカラーインデックス600は、画像サンプリング表示である。図示の例では、カラーインデックス600は、サンプリング部分614での画像612を有する。ユーザは、サンプリングする画像612を選択し、画面の周りでカーソル又は指を移動することにより、サンプリング部分614の境界を定める。代替実施例では、ユーザが画面の一部を示し、照明制御画像フレームがサンプリング部分614の境界を定める。サンプリング部分614の境界は、画像フレーム表示304に表示されてもよく、隠されてもよい。サンプリング部分614でのクリックのようなユーザによる動作のときに、又はサンプリング部分614の境界が所定の時間に不変に保持された後に、サンプリング部分614の画像の部分の特性がサンプリングされ、カラースキームがサンプリング部分614について計算される。特性の例は、カラー、輝度、強度、色調、彩度、光度等を有する。照明ユニットは、サンプリング部分614に関連するカラースキームに合致するように照明を調整する。一実施例では、ユーザは、前記で図６Ａについて説明したカラーリストでのアルファベット数字トークンのように、後に使用するためにカラースキームに名前を付けて保存してもよい。
【００５８】
ここで開示した本発明の実施例は、現時点で好ましいものであると考えられるが、本発明の要旨及び範囲を逸脱することなく、様々な変更及び変形が行われてもよい。本発明の範囲は特許請求の範囲に示されており、均等の意味及び範囲内にある全ての変更が包含されることを意図する。
【図面の簡単な説明】
【００５９】
【図１】本発明に従って作られた照明制御画像フレームを使用した照明システムのブロック図
【図２Ａ】本発明に従って作られた照明制御画像フレームの照明制御画像フレームモードの概略図
【図２Ｂ】本発明に従って作られた照明制御画像フレームの照明制御画像フレームモードの概略図
【図２Ｃ】本発明に従って作られた照明制御画像フレームの照明制御画像フレームモードの概略図
【図３】本発明に従って作られた照明制御画像フレームのブロック図
【図４】本発明に従って作られた照明制御画像フレームの照明制御画像フレームモードを選択する方法のフローチャート
【図５】本発明に従って作られた照明制御画像フレームを使用して照明ユニットを制御する方法のフローチャート
【図６Ａ】本発明に従って作られた照明制御画像フレームのカラーインデックスの概略図
【図６Ｂ】本発明に従って作られた照明制御画像フレームのカラーインデックスの概略図
【図６Ｃ】本発明に従って作られた照明制御画像フレームのカラーインデックスの概略図
【図６Ｄ】本発明に従って作られた照明制御画像フレームのカラーインデックスの概略図
【図６Ｅ】本発明に従って作られた照明制御画像フレームのカラーインデックスの概略図
【図１】
2008522201.tif 000003
【図２Ａ】
2008522201.tif 000004
【図２Ｂ】
2008522201.tif 000005
【図２Ｃ】
2008522201.tif 000006
【図３】
2008522201.tif 000007
【図４】
2008522201.tif 000008
【図５】
2008522201.tif 000009
【図６Ａ】
2008522201.tif 000010
【図６Ｂ】
2008522201.tif 000011
【図６Ｃ】
2008522201.tif 000012
【図６Ｄ】
2008522201.tif 000013
【図６Ｅ】
2008522201.tif 000014
【国際調査報告】
2008522201.tif 000015
2008522201.tif 000016
2008522201.tif 000017